(57)【要約】【課題】発光ダイオードを含む照明モジュールを備えた台車を提供する。【解決手段】第１面と第２面とを有する複数のプレートを備えるフレームに設置された照明モジュールであって、プレートの第２面に設置され、各発光ダイオードが赤色光チップ、緑色光チップ、及び青色光チップを含み、発光ダイオードの全ての光エネルギーのうち赤色光チップが７５％〜８５％、緑色光チップが５％〜１５％、青色光チップが５％〜１５％を提供する複数の発光ダイオードを備えている。【選択図】図１
2010273679.tif 000002
【特許請求の範囲】
【請求項１】
第１面と第２面とを有するプレートを備えるフレームに設置された照明モジュールであって、
前記プレートの前記第２面に設置され、各発光ダイオードが赤色光チップ、緑色光チップ、及び青色光チップを含み、発光ダイオードの全ての光エネルギーの７５％〜８５％を赤色光チップが、５％〜１５％を緑色光チップが、５％〜１５％を青色光チップが提供する複数の発光ダイオードを備えることを特徴とする照明モジュール。
【請求項２】
前記赤色光チップ、前記緑色光チップ、及び前記青色光チップは、発光ダイオードの全ての光エネルギーの８０％、１０％、及び１０％をそれぞれ提供する請求項１に記載の照明モジュール。
【請求項３】
各発光ダイオードは光学レンズを含む請求項１に記載の照明モジュール。
【請求項４】
各発光ダイオードを覆うカバーを更に備える請求項３に記載の照明モジュール。
【請求項５】
前記赤色光チップは、６４０nm〜６７０nmの範囲の波長を有する光を発する請求項１に記載の照明モジュール。
【請求項６】
前記青色光チップは、４４５nm〜４６０nmの範囲の波長を有する光を発する請求項１に記載の照明モジュール。
【請求項７】
前記緑色光チップは、５２５nm〜５３５nmの範囲の波長を有する光を発する請求項１に記載の照明モジュール。
【請求項８】
前記緑色光チップは、５４５nm〜５５５nmの範囲の波長を有する光を発する請求項１に記載の照明モジュール。
【請求項９】
植物を運送する台車であって、
フレームと、
前記フレームに設置されて、所定の距離で隔てられており、それぞれが第１面及び第２面を有し、１つの前記第１面が隣合う他の前記第２面に対向、前記第１面に植物が設置される複数のプレートと、
各プレートの前記第２面に設置されており、複数の発光ダイオードを有し、各発光ダイオードが赤色光チップ、緑色光チップ、及び青色光チップを含み、発光ダイオードの全ての光エネルギーの７５％〜８５％を赤色チップが、５％〜１５％を緑色光チップが、５％〜１５％を青色光チップが提供する複数の照明モジュールと、
前記照明モジュールに対応して、前記照明モジュール及び各前記プレートの前記第２面の間に設置されており、前記照明モジュールからの光線が植物を照射し、前記照明モジュールからの熱が自身によって前記第２面に伝導されて、２つの隣合う植物間の空気を加熱する複数の熱放散モジュールと
を備えることを特徴とする台車。
【請求項１０】
前記赤色光チップ、前記緑色光チップ、及び前記青色光チップは、発光ダイオードの全ての光エネルギーの８０％、１０％、及び１０％をそれぞれ提供する請求項９に記載の台車。
【請求項１１】
各熱放散モジュールは、
プレートに接触したステンレススチールプレートと、
前記ステンレススチールプレートに接合された複数のアルミニウムブロックとを含み、
前記発光ダイオードは、前記アルミニウムブロック上に設置され、前記発光ダイオードからの熱は、前記アルミニウムブロック及び前記ステンレススチールプレートによって前記第１面に伝導される請求項９に記載の台車。
【請求項１２】
各照明モジュールは、光学レンズとカバーとを更に有し、前記発光ダイオードからの光は、光学レンズ及びカバーを通過し、前記植物を照射する請求項９に記載の台車。
【請求項１３】
前記赤色光チップは、６４０nm〜６７０nmの範囲の波長を有する光を発する請求項９に記載の台車。
【請求項１４】
前記青色光チップは、４４５nm〜４６０nmの範囲の波長を有する光を発する請求項９に記載の台車。
【請求項１５】
前記緑色光チップは、５２５nm〜５３５nmの範囲の波長を有する光を発する請求項９に記載の台車。
【請求項１６】
前記緑色光チップは、５４５nm〜５５５nmの範囲の波長を有する光を発する請求項９に記載の台車。
【発明の詳細な説明】
【技術分野】
【０００１】
本出願は、２００９年５月２７日に出願された台湾特許出願第９８１１７７００号の優先権を主張するものであり、その全体がここに参照として組み入れられる。
【０００２】
本発明は、植物を運送する台車に関し、特に、植物に光線を発する照明モジュールを備えた台車に関するものである。
【背景技術】
【０００３】
植物が運送される時、容器内の植物は台車に設置される。通常、台車は植物の照明のために冷陰極蛍光ランプが備え付けられている。しかし、冷陰極蛍光ランプが発する熱は植物にダメージを与える可能性がある。よって、より少ない熱を放出して台車内の植物を照射する発光ダイオード（LED）が用いられてきた。
【０００４】
しかし、異なる波長で光を発する発光ダイオードは、健康な植物を栽培するのに最適ではない。
【発明の概要】
【０００５】
よって、無汚染、低細菌、低硝酸塩、無農薬、無重金属と、健康な植物を栽培できる光を発する発光ダイオードとの最適な組み合わせを開発することが求められる。
【０００６】
本発明の目的は、発光ダイオードからの光が植物に提供され、発光ダイオードからの熱も植物に伝導され、植物の温度を調整する発光ダイオードを含む照明モジュールを備えた台車を提供することにある。
【課題を解決するための手段】
【０００７】
本発明の台車の実施の形態は、フレームと、フレームに設置されて、所定の距離で隔てられており、それぞれが第１面及び第２面を有し、１つの第１面が隣合う他の第２面に対向し、第１面に植物が設置される複数のプレートと、各プレートの第２面に設置されており、各発光ダイオードがその全ての光エネルギーの７５％〜８５％を提供する赤色光チップ、その全ての光エネルギーの５％〜１５％を提供する緑色光チップ、及びその全ての光エネルギーの５％〜１５％を提供する青色光チップを含む複数の発光ダイオードを有する複数の照明モジュールと、照明モジュールに対応して、照明モジュール及び各プレートの第２面の間に設置されており、照明モジュールからの光線が植物を照射し、照明モジュールからの熱が自身によって第２面に伝導されて、２つの隣合う植物間の空気を加熱する複数の熱放散モジュールとを備えている。
【０００８】
各照明モジュールは、２つの二次元マトリクスで配列された複数の発光ダイオードを含む。
【０００９】
各熱放散モジュールは、プレートに接触したステンレススチールプレートと、ステンレススチールプレートに接合された複数のアルミニウムブロックとを含み、発光ダイオードは、アルミニウムブロック上に設置され、発光ダイオードからの熱は、アルミニウムブロック及びステンレススチールプレートによって第１面に伝導される。
【００１０】
各照明モジュールは、光学レンズとカバーとを更に含み、発光ダイオードからの光は、光学レンズ及びカバーを通過し、植物を照射する。光学レンズはバットウィングレンズであることができる。
【００１１】
赤色光チップは、６４０nm〜６７０nmの範囲の波長を有する光を発する。
【００１２】
青色光チップは、４４５nm〜４６０nmの範囲の波長を有する光を発する。
【００１３】
緑色光チップは、５２５nm〜５３５nmまたは５３５nm〜５４５nmの範囲の波長を有する光を発する。
【００１４】
赤色光チップ、緑色光チップ、及び青色光チップは、発光ダイオードの全ての光エネルギーの８０％、１０％、及び１０％をそれぞれ提供する。
【００１５】
赤色光チップ、緑色光チップ、及び青色光チップのエネルギーの比率を調整することで、より効果的で健康的な照明が植物に提供されることができる。
【００１６】
詳細な説明が付随する図面を参照して以下の実施の形態に提供される。
【図面の簡単な説明】
【００１７】
【図１】本発明の台車の分解図である。
【図２】図１の組み立て図である。
【図３】図１の台車のプレートを描いている。
【図４】図２の側面図である。
【発明を実施するための形態】
【００１８】
本発明についての目的、特徴、長所が一層明確に理解されるよう、以下に実施形態を例示し、図面を参照にしながら、詳細に説明する。
【００１９】
図１及び図２を参照すると、本発明の台車１は、フレーム１００、複数の金属製のプレート２００、複数の熱放散モジュール３００、及び複数の照明モジュール４００を備える。
【００２０】
フレーム１００は、４つの柱１０２を底部１０４の４つの角の４つの孔１０６に挿入して形成される。底部１０４が４つのホイール１０８を有することで、フレーム１００は移動する。
【００２１】
金属プレート２００は、長方形であり、柱１０２に接合され、プレート２００がフレーム１００に設置される。プレート２００は、所定の距離によって隔てられる。各プレート２００は、第１面２０４と第２面２０６とを有する。植物を載せる容器５は、第１表面２０４に設置される。１つのプレート２００の第２面２０６は、隣合うプレート２００の第１面２０４に対向する。
【００２２】
熱放散モジュール３００は、ステンレススチールプレート３０２と複数のアルミニウムブロック３０４とを含む。図３に示されるようにステンレススチールプレート３０２は、第２面２０６に接触し、アルミニウムブロック３０４は、ステンレススチールプレート３０２に接合される。ステンレススチールプレート３０２は、コネクタ３０９によってプレート２００に接合される。
【００２３】
図１を参照すると、照明モジュール４００は、二次元マトリクスで配列され、アルミニウムブロック３０４に接合された複数の発光ダイオード４０２を含む。ここで注意するのは、明確にするために１つの発光ダイオードのみ、図１に示されていることである。照明モジュール４００は、光学レンズ４０４とカバー４０６とを更に含む。光学レンズ４０４は、発光ダイオード４０２の上に設置され、カバー４０６は、光学レンズ４０４を覆う。発光ダイオード４０２からの光は、光学レンズ４０４及びカバー４０６を通過し、植物を照射する。発光ダイオード４０２からの光線は、発光領域の中央部でより大きい強度を有するため、バットウィングレンズ（Batwing lens）をより均一な光の照明のために用いることが好ましい。バットウィングレンズは、発光領域の中央部で光度を減少し、端部で光度を増加することができる。光がバットウィングレンズを通過した際に、光度は均一になるように調整される。カバー４０６は、発光ダイオード４０２を保護する。また、光拡散構造または光集束構造は、カバー４０６上に形成される。
【００２４】
図３及び図４を参照すると、１つのプレート２００の第２面２０６上の発光ダイオード４０２からの光は、次の下方のプレート２００の第１面２０４上の植物を照射する。発光ダイオード４０２によって発生された熱は、アルミニウムブロック３０４及びステンレススチールプレート３０２によって、プレート２００の第１面に伝導され、２つのプレート２００間の空気を加熱するため、植物のための空気の温度が調整されることができる。本発明の台車１は、照明のための光と、温度調整のための熱とを提供するため、植物は健康的に育成することができる。
【００２５】
実施の形態の発光ダイオード４０２は、パッケージに設置された赤色光チップと、緑色光チップと、青色光チップとを含む。植物を栽培して、植物の硝酸塩を減少するためには、赤色光チップからの光の波長は６４０〜６７０nmの範囲であって、６６０nmのピーク値を有することである。青色光チップからの光の波長は４５０〜４６０nmの範囲であって、４５０nmのピーク値を有することである。緑色光チップからの光の波長は５２５〜５３５nmの範囲であって、５３０nmのピーク値を有するか、または緑色光チップからの光の波長は５４５〜５５５nmの範囲であって、５５０nmのピーク値を有することである。赤色光チップは、その全ての光エネルギーの７５％〜８５％を提供し、緑色光チップは、その全ての光エネルギーの５％〜１５％を提供し、青色光チップは、その全ての光エネルギーの５％〜１５％を提供する。植物の硝酸塩を減少するためには、赤色光チップ、緑色光チップ、及び青色光チップは、その全ての光エネルギーの８０％、１０％、及び１０％をそれぞれ提供する。例えば、レタスを栽培する本発明の照明モジュールが備えられた台車によって提供されることができる最適な条件は、光照明が100μmol/m2/sであることであり、光の明暗は２０時間と４時間とでそれぞれ替わることである。また、硝酸塩は、本発明の照明モジュールが備えられた台車により減少されることができる。
【００２６】
以上、本発明の好適な実施例を例示したが、これは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【図１】
2010273679.tif 000003
【図２】
2010273679.tif 000004
【図３】
2010273679.tif 000005
【図４】
2010273679.tif 000006
【外国語明細書】
2010273679.tif 000007
2010273679.tif 000008
2010273679.tif 000009
2010273679.tif 000010
2010273679.tif 000011
2010273679.tif 000012
2010273679.tif 000013
2010273679.tif 000014
2010273679.tif 000015
2010273679.tif 000016
2010273679.tif 000017
2010273679.tif 000018
2010273679.tif 000019
2010273679.tif 000020